(57)【要約】      （修正有）【課題】紐の硬さに依存せずに、ケース内に留まって紐を締め付ける紐締具を提供する。【解決手段】先後端の両側に開口部６、７が設けられたケース１の内面が先端に向けて先細状を呈するよう両側壁３、４を対設し、ケース１内を摺動する摺動体２と両側壁３、４との間に紐を挟持する紐締具であって、摺動体２が摺動するケース１内面の上壁と下壁９との間の先端側の位置に、摺動体２が先端側に摺動した際に摺動体２を上下から圧接状に挟み込む間隔を持つ箇所１０ａ、１１ａ、ｂが設定されている。【選択図】図２
0003149557.tif 000002
【実用新案登録請求の範囲】
【請求項１】
先後端の両側に開口部が設けられたケースの内面が先端に向けて先細状を呈するよう両側壁を対設し、ケース内を摺動する摺動体と両側壁との間に紐を挟持する紐締具において、
摺動体が摺動するケース内面の上壁と下壁との間の先端側の位置に、前記摺動体が先端側に摺動した際に前記摺動体を上下から圧接状に挟み込む間隔を持つ箇所が設定されていることを特徴とする紐締具。
【請求項２】
先端側に向けて高さが高くなるスロープ部を前記上壁と下壁とに対向させて配置することにより、前記摺動体を上下から圧接状に挟み込む間隔を持つ箇所を形成した請求項１記載の紐締具。
【請求項３】
前記上壁と下壁とにケースの先後端に長さを持つ長孔が設けられ、前記摺動体には前記ケース内を摺動する際に前記長孔に連通する管通孔が設けられ、前記上壁と下壁の長孔と前記摺動体の貫通孔を通してリリース紐が設けられる請求項１または２記載の紐締具。
【考案の詳細な説明】
【技術分野】
【０００１】
本考案は、フレコンバック等の開放口を緊締する紐を締め付けるのに使用する紐締具に関するものである。
【背景技術】
【０００２】
穀物、セメント等の粒子状の資材を詰める袋として、フレコンバックが知られている。フレコンバックは、重量トン単位の内容物を収容しており、クレーンに吊り下げられた状態で底部を刃物で開封する、所謂ワンウェイ輸送に用いられるものや、底部を開閉可能とし紐で締める形式のものがある。例えば、特許文献１は、底部を刃物で開封するものの例であり、袋体の底を切り取る歯具を有する開封装置を設置し、クレーンやフォークリフト等で吊るし袋体を該歯具の位置へもって行き、底を切り取って内容物を取り出す。また、特許文献２は、底部を開閉可能とし紐で締めるものの例であり、フレコンバックをクレーンやフォークリフト等で吊るしたままで、内容部を取り出せるようにしている。
【０００３】
底部を刃物で開封するものは、フレコンバックの再利用ができず、また紐で縛るものは、刃物で開封する形式のバックと違い開封の際に紐を解かなければならず、これに手間がかかると、フレコンバックの内容物を浴びてしまうという問題がある。
【０００４】
一方、アノラック、リユックサック、救命ジャケット、買物用の紐締具として、例えば特許文献３に示される紐締具が知られている。この紐締具は、内面が先細状を呈するよう対設されたケースの両側壁と、ケース内を摺動する摺動体の両側面に形成した押圧部とにより、その間に挿通された紐を挟持するものである。この紐締具では、ケースまたは摺動体のいずれか一方の摺動面に摺動溝を凹設し、他方の摺動面に、この摺動溝に嵌入する摺動突部を突設し、摺動溝には摺動突部の抜脱防止用の規制部を設けている。この紐締具によれば、紐が緩もうとすると摺動体との側面に形成した押圧部により、緩もうとする紐に摺動体が引き摺られ、ケース先細状の先端方向へ移動するように作用するため、紐締具はさらに締まるようになる。
【先行技術文献】
【特許文献】
【０００５】
【特許文献１】特開２００４−１６１３６７公報
【特許文献２】特開２００５−２２７３６公報
【特許文献３】特開平６−３４３５０６号公報
【考案の概要】
【考案が解決しようとする課題】
【０００６】
特許文献３に開示された紐締具は、摺動体の側面の押圧部が、紐と一体的に勘合している状態であれば、所望の機能を果たすことが出来る。ところが、使用する紐としては弾力性があり、摺動体の側面の押圧部の形状に倣うものでないと、機能が発揮されないことがある。例えば、フレコンバックの底部開閉口に使用される変形しにくい硬い紐を利用すると、摺動体の側面の押圧部に紐が馴染まず、摺動体による緊縛状態が解けてしまう問題がある。
【０００７】
また、特許文献３の紐締具は、摺動突部を設けて摺動体がケースから脱落しないようにしているが、これが疲労等により破損すると、フレコンバックの積載資材に異物として混入する恐れがある。食品に異物が混入すると例えそれが微量のものであっても、重大な社会問題となってしまう。
【０００８】
本考案は、紐の硬さに依存せずに、ケース内に留まって紐を締め付ける紐締具を提供することを目的とする。また、紐締具から部品が破損により破損しにくい構造とした紐締具を提供することを目的とする。
【課題を解決するための手段】
【０００９】
前記の目的を達成するため、本考案の紐締具は、先後端の両側に開口部が設けられたケースの内面が先端に向けて先細状を呈するよう両側壁を対設し、ケース内を摺動する摺動体と両側壁との間に紐を挟持する紐締具において、摺動体が摺動するケース内面の上壁と下壁との間の先端側の位置に、前記摺動体が先端側に摺動した際に前記摺動体を上下から圧接状に挟み込む間隔を持つ箇所が設定されていることを特徴とする。
【００１０】
摺動体を上下から圧接状に挟み込む間隔を持つ箇所は、摺動体が先端側に摺動した際に摺動体をケース内に固定して、脱落しようとする力に対してブレーキをかける。
【００１１】
また、ケースの上壁と下壁とにケースの先後端に長さを持つ長孔と、摺動体の管通孔が連通することにより、リリース紐がこれらを通して結合させる。これにより、ケースと摺動体が紐の柔軟性により結ばれて、摺動体が脱落することを回避できる。
【図面の簡単な説明】
【００１２】
【図１】紐締具１００の一実施例を示した斜視図である。
【図２】ケース１の断面図である。
【図３】紐締具１００の使用状態を説明する図である。
【図４】紐締具１００の他の実施例を示した分解斜視図である。
【考案を実施するための形態】
【００１３】
本考案による実施例を図面に基づいて詳細に説明する。
【実施例１】
【００１４】
図１に、点線で示された紐１６を締め付けている紐締具１００の斜視図を示す。紐締具１００は、合成樹脂製のケース１、摺動体２とから構成される。図1には、摺動体２は、ケース１内に差し込まれた状態で示されており、ケース１から離脱している状態を破線にて示されている。摺動体２がケース１内に差し込まれた状態では、その後端部がケース１の後ろ側の開口部７から、また、ケース１の上壁８に設けられた長孔２２を通して覗く状態となる。摺動体２の丸形状の貫通孔２２には、リリース紐１５がリング状に通される。摺動体２は平面における外郭形状が滴形を呈する板状体から形成されており、先端部の円形状部２１の中心には、丸孔２２が開口している。また、円形状部２１の周壁に沿って、山状の突起２３が多数設けられている。ケース１はポリカーボネイトが、摺動体２は硬質ゴムが使用されている。
【００１５】
図２はケース1の断面図であり、図２Ａはケース１を縦方向Ｘ−Ｘ（図１）に、中心線Ｃを通る位置で切断した図であり、図２Ｂはケース１を横方向Ｙ−Ｙ（図１）に、中心線Ｃを通る位置で切断した図である。また、図２Ｂ乃至図２Ｄにおいて、摺動体２は簡略的に、長方形により示してある。
【００１６】
ケース１は中心線Ｃに対して斜め角度θに先細状に側壁３、４を対設し、全体が箱型になるように形成されている。ケース１の両側壁３、４の内面は、凹凸状、段状または粗面状の衝接面５が形成され、ケース１の先後端には夫々開口部６、７が形成されている。ケース１は、金型による合成樹脂製のモールド成形を行うため、衝接面５を階段状として、斜めに設けた側壁３、４の勾配に沿って、階段の各ステップで勾配を吸収するような形状とするのが良い。このような内部形状であれば、ケース１内部を形成する金型を、開口部７側から引き抜くことができる。
【００１７】
ケース１の上下壁８、９は、先端箇所Ｐにおいて、開口部７の開口高さＨよりも低い高さｈを持つ内面部分を有している（図２Ｂ）。先端箇所Ｐの位置は、摺動体２がケース２内に進入した際に、紐を緊張状態とした摺動体２が到達する進入深さ位置に設けられる。高さＨは摺動体２の高さＤよりも高く、高さｈは摺動体２を上下方向から緊縛する高さに選定されている。図2Ｂから図２Ｄには、ケース１に対して、摺動体２が差し込まれる様子が示されており、摺動体２は先端箇所Ｐをやや越えてケース1内に収容されることになる。摺動体２が先端側に摺動した際に、先端箇所Ｐは摺動体２を上下から圧接状に挟み込む箇所として機能している。
【００１８】
本実施例においては、上下壁８、９の内面部分の高さを、高さＨよりも低くするため、上下壁８、９に夫々２つずつスロープ体１０ａ、１０ｂ、１１ａ、１１ｂを設けている。スロープ体１０ａ、１１ａ及びスロープ体１０ｂ、１１ｂが対向し、ケース１内の高さを狭めている。スロープ体は、ケース１の前後方向中央付近から、先端箇所Ｐを越えた位置にまで、傾斜面を持っており、その幅はｗである。対向するスロープ体１０ａ、１１ａで挟まれた間隔は、ケース１の前後方向中央付近から暫時狭くなっている。開口部7側から、ケース１内の高さは、Ｈからｈ（先端箇所Ｐ）へそしてさら狭く、開口部６側に向かって暫時狭まる。これにより、先端箇所Ｐから開口部７に向けては摺動体２を進入しやすくし、先端箇所Ｐから開口部６に向けて狭くなって摺動体２を進入しがたくしている。また、上下壁８、９の内面全体をスロープ状として先細り形状とせずに、幅ｗのスロープ体１０ａ、１０ｂ、１１ａ、１１ｂの部分のみ先細り形状としたのは、摺動体２をケース１内に差し入れる際に必要とする力に合わせたものである。
【００１９】
側壁３、４の外面には、凹凸状、段状または粗面状の突起面１２が設けられており、使用者が摺動体２をケース１に差し入れる際の滑り止めとして機能する。上下壁８、９の中央には、長孔１３、１４が夫々設けられている。長孔１３、１４の幅は、摺動体２よりも狭く、長孔１３、１４から摺動体２が脱落することはない。
【００２０】
一方、摺動体２に設けられた山状の突起２３（図１参照）は、ケース１に差し入れられた際に、ケース１側の衝接面５との間で紐を挟持する。摺動体２の後方部２４の操作部２４は、ケース１への差し入れの際に手動操作により、押し込み力を働かせる場所として機能する。貫通孔２２は、摺動体２がケース１内に差し込まれたときに、上下壁８、９の、長孔１３、１４を通して、リリース紐１５を通すために設けられている。
【００２１】
紐締具１００の使用方法について、図３を用いて説明する。
ケース１の開口部７に、紐１６の長さ途中を差し入れ（図３Ａ）、開口部６から引き出す（図３Ｂ）。紐１６により結束すべき対象物は、開口６から出た紐１６で囲まれた空間Ｑに設定する。この状態で、余分な紐１６を開口部７紐１６を引き出し、空間Ｑを狭める。そして、側壁３、４側へ開いた状態で、開口部７から摺動体２をケース１内に差し入れる（図３Ｃ）。操作部２４へ押し圧力を付与することにより、摺動体２はケース１内に収容される（図３Ｄ）。このとき、紐１６は、山状の突起２３と衝接面５との間に挟み込まれる。一方、摺動体２自体も、スロープ体１０ａ、１０ｂ、１１ａ、１１ｂの間の狭い空間を押し込まれ、ケース１との間で摩擦静止した状態となる。本実施例では、スロープ体１０ａ、１０ｂ、１１ａ、１１ｂの持つスロープにより、摺動体２を押し込めば押し込むほど、硬質ゴムの摺動体２が変形し、ケース１から脱落しにくくなる。最後に、図１に示すように、ビニール製のリリース紐１５を、貫通孔２２に通してリング状とする。
【００２２】
開口部６側から、空間Ｑを広げようとすると、ケース１内で摺動体２が開口部６側へ移動する方向の力として作用するため、紐１６は山状の突起２３と衝接面５との間により強く挟み込まれる方向の力として作用される。また、この力は、開口部６側へ摺動体２を引きずる力であるので、スロープ体１０ａ、１０ｂ、１１ａ、１１ｂへの摺動体２の固定が強められる方向に働く。
【００２３】
一方、対象物の締め上げ不足により、紐１６が緩む場合には、紐１６の開口部６から開口部７側へ押される力が働く場合があるが、この力はスロープ体１０ａ、１０ｂ、１１ａ、１１ｂが摺動体２を固定する力よりもはるかに弱いものであるので、摺動体２は脱落しない。
【００２４】
リリース紐１５を開口部７側へ引いてやれば、摺動体２とスロープ体１０ａ、１０ｂ、１１ａ、１１ｂとの摩擦静止が解除され、紐締具１００を開放することができる。
【００２５】
図４は、他の実施例を示す図である。本実施例においては、ケース１７は、上下壁８、９の開口部７側に弧状の窪み１８が設けられている。摺動体２をケース１７に差し入れた際に、窪み部１８から操作部２４が覗けるように設定されている。この構造によれば、摺動体２をケース１７内に差し込んだときに、窪み部１８を利用してケース１７のさらに奥まで摺動体２を挿入することができる。
【００２６】
以上示した実施例においては、上下壁８、９の間隔を狭めるために、スロープ部１０ａ、ｂ、１１ａ，ｂを用いたが、これを用いずに上下壁８、９自体が暫時開口６側へ行くほど狭いものとしても良い。また、スロープ状とせずに、少なくとも先端箇所Ｐの地点のみを点状として上下壁８、９の間隔を狭めるものでも良い。これによれば、上下壁８、９自体が、摺動体２が先端側に摺動した際に摺動体２を上下から圧接状に挟み込む間隔を持つ箇所を持つものとなる。また、上下壁８、９の両側から互いの間隔を狭めなくとも、一方側から狭めるものであってもよい。
【００２７】
リリース紐１５を摺動体２がケース１、１７に差し込まれた後に取り付けるように説明したが、紐１６を外した状態においても、リング状のリリース紐１５を長孔１３、１４、貫通孔２２を連通したままの状態としても良い。そのため、本実施例においては、スロープ部が設置されていない、ケース１中央付近から開口部７に至る手前まで長孔が延びており、摺動体２とケース１、１７の間の紐への緊張が解けた状態となる。また、ケース１、１７の末広がりの裾の位置に滴形の摺動体２先端部が位置するため、衝接面５と突起２３による紐１６への緊張も解かれる。
【００２８】
リリース紐がリング状となっているため、万が一、摺動体２がケース１、１７から脱落しても、失われることがない。また、リリース紐１５はビニール製の柔軟物であるので経年疲労による破損の恐れがなく、フレコンバックの内容物を汚染することがない。
【００２９】
以上、本実施例の紐締具１００によれば、紐１５の硬さに依存せずに、ケース１内に留まって紐１５を締め付けることができる。また、構成部品が破損しにくい構造とした紐締具１００を提供することができる。
【符号の説明】
【００３０】
１  ケース
２  摺動体
３、４ 側壁
５  衝接面
６、７  開口部
８、９  上下壁
１０a、１０ｂ、１１ａ、１１ｂ スロープ部
１２  突起面
１３、１４  長孔
１５  紐
１６  リリース紐
１７  ケース
１８  窪み部
２２  貫通孔
２３  山状突起
２４  操作部
【図１】
0003149557.tif 000003
【図２】
0003149557.tif 000004
【図３】
0003149557.tif 000005
【図４】
0003149557.tif 000006